(57)【要約】【課題】新聞印刷工程における不良新聞束の発生に際して、効率的かつ迅速な回収対象新聞束の特定を可能にする。【解決手段】不良が発生した新聞印刷機２００の情報を取得し宛名印刷機３００を印刷機定義テーブル１２５で特定する宛名印刷機特定手段１１０と、新聞印刷機２００の情報に基づいて印刷物情報テーブル１２６において直近の所定時間内に印刷中の印刷物の情報を検索する印刷物特定手段１１１と、特定した宛名印刷機３００と印刷物の情報をキーに宛名の印刷実績データの検索を宛名実績テーブル１２７において実行し不良新聞束リストとしてメモリ１０３に格納する不良新聞束リスト抽出手段１１２と、検査優先順位の規定に従い、不良新聞束リストが含む印刷実績データの並べ替えを実行し、当該並べ替え後の不良新聞束リストを出力インターフェイス１０６に表示する不良新聞束リスト出力手段１１３とから回収対象新聞束の特定支援装置１００を構成する。【選択図】図１
2009163481.tif 000002
【特許請求の範囲】
【請求項１】
新聞印刷工程における不良新聞束の発生に際して、回収対象新聞束の特定支援を行うコンピュータであって、
新聞印刷機、前記新聞印刷機に付帯して新聞束の宛名印刷を行う宛名印刷機のそれぞれとデータ通信を行う通信手段と、
前記新聞印刷機とこれに付帯する前記宛名印刷機との対応関係を設定した印刷機定義テーブルと、前記新聞印刷機から取得した新聞の印刷実績データを格納する印刷物情報テーブルと、前記宛名印刷機から取得した宛名の印刷実績データを格納する宛名実績テーブルと、を記憶した記憶手段と、
不良が発生した新聞印刷機の情報を入力インターフェイスで受け付けて取得し、前記新聞印刷機に付帯する宛名印刷機を前記印刷機定義テーブルで特定する、宛名印刷機特定手段と、
前記取得した新聞印刷機の情報に基づいて、前記印刷物情報テーブルにおいて前記新聞印刷機が直近の所定時間内に印刷中の印刷物の情報を検索する、印刷物特定手段と、
前記特定した宛名印刷機と前記印刷物の情報をキーにした、宛名の印刷実績データの検索を前記宛名実績テーブルにおいて実行し、印刷実績データ群である検索結果を不良新聞束リストとしてメモリに格納する不良新聞束リスト抽出手段と、
記憶手段にて予め定めた検査優先順位の規定に従い、前記不良新聞束リストが含む印刷実績データの並べ替えを実行し、当該並べ替え後の不良新聞束リストを出力インターフェイスに表示する、不良新聞束リスト出力手段と、
を備えることを特徴とする回収対象新聞束の特定支援装置。
【請求項２】
前記不良新聞束リストが含む前記印刷実績データのうち、印刷実績データにおける宛名印刷時刻のデータが所定時刻範囲に含まれるものを特定し、当該所定時刻範囲に含まれる印刷実績データの中で前記検査優先順位の規定における最上位のものを検査対象束のデータとして特定し、当該検査対象束データを含む良不良検査依頼通知を出力インターフェイスに表示する、検査依頼通知手段と、
前記検査対象束に関する良不良検査結果を入力インターフェイスで受け付けて取得し、当該良不良検査結果が該当検査対象束の不良を示すものであれば、前記不良新聞束リストにおいて前記検査対象束より前記宛名印刷時刻が後の新聞束は不良新聞束として特定し、前記良不良検査結果が該当検査対象束の正常を示すものであれば、前記不良新聞束リストにおいて前記検査対象束より前記宛名印刷時刻が前の新聞束は正常新聞束として特定し、前記不良新聞束または正常新聞束の特定結果を出力インターフェイスに表示する、範囲特定処理手段と、
を備えることを特徴とする請求項１に記載の回収対象新聞束の特定支援装置。
【請求項３】
前記検査優先順位は、前記印刷実績データにおける宛名印刷時刻が現在時刻に直近である最新性の順で規定されたものであり、
前記不良新聞束リスト出力手段は、前記宛名印刷時刻の最新性順に、前記不良新聞束リストが含む印刷実績データの並べ替えを実行し、当該並べ替え後の不良新聞束リストを出力インターフェイスに表示するものである、
ことを特徴とする請求項１に記載の回収対象新聞束の特定支援装置。
【請求項４】
前記検査優先順位は、前記印刷実績データにおける宛名印刷時刻が現在時刻に直近である最新性の順で規定されたものであり、
前記検査依頼通知手段は、前記所定時刻範囲に含まれる印刷実績データの中で前記宛名印刷時刻の最新性において最上位のものである、最も直近に宛名印刷されたものを検査対象束のデータとして特定し、当該検査対象束データを含む良不良検査依頼通知を出力インターフェイスに表示するものである、
ことを特徴とする請求項２に記載の回収対象新聞束の特定支援装置。
【請求項５】
前記通信手段は、新聞束発送時の仕分け処理を行う仕分け装置とデータ通信を行うものであり、
前記記憶手段は、前記仕分け装置から取得した新聞束の脱荷実績データを格納する脱荷実績テーブルを記憶するものであり、
前記不良新聞束リスト中の印刷実績データが含む宛名印刷機および印刷宛名の情報をキーに、前記脱荷実績テーブルにおいて新聞束輸送手段への該当新聞束の積載状況データを取得しメモリに格納する、積載状況取得手段を備え、
前記検査優先順位は、前記メモリに格納した新聞束の積載状況が「積載前」かそれに近い順である積載作業未進行の順で規定されたものであり、
前記不良新聞束リスト出力手段は、前記積載作業未進行の順に、前記不良新聞束リストが含む印刷実績データの並べ替えを実行し、当該並べ替え後の不良新聞束リストを出力インターフェイスに表示するものである、
ことを特徴とする請求項１または３に記載の回収対象新聞束の特定支援装置。
【請求項６】
前記通信手段は、新聞束発送時の仕分け処理を行う仕分け装置とデータ通信を行うものであり、
前記記憶手段は、前記仕分け装置から取得した新聞束の脱荷実績データを格納する脱荷実績テーブルを記憶するものであり、
前記不良新聞束リスト中の印刷実績データが含む宛名印刷機および印刷宛名の情報をキーに、前記脱荷実績テーブルにおいて新聞束輸送手段への該当新聞束の積載状況データを取得しメモリに格納する、積載状況取得手段を備え、
前記検査優先順位は、前記メモリに格納した新聞束の積載状況が「積載前」かそれに近い順である積載作業未進行の順で規定されたものであり、
前記検査依頼通知手段は、前記所定時刻範囲に含まれる印刷実績データの中で前記積載作業未進行の順において最上位のものである、最も積載作業が進行していないものを検査対象束のデータとして特定し、当該検査対象束データを含む良不良検査依頼通知を出力インターフェイスに表示するものである、
ことを特徴とする請求項２または４に記載の回収対象新聞束の特定支援装置。
【請求項７】
新聞印刷工程における不良新聞束の発生に際して、回収対象新聞束の特定支援を行うコンピュータが、
新聞印刷機、前記新聞印刷機に付帯して新聞束の宛名印刷を行う宛名印刷機のそれぞれとデータ通信を行う通信手段と、
前記新聞印刷機とこれに付帯する前記宛名印刷機との対応関係を設定した印刷機定義テーブルと、前記新聞印刷機から取得した新聞の印刷実績データを格納する印刷物情報テーブルと、前記宛名印刷機から取得した宛名の印刷実績データを格納する宛名実績テーブルと、を記憶した記憶手段と、演算手段とを備えて、
不良が発生した新聞印刷機の情報を入力インターフェイスで受け付けて取得し、前記新聞印刷機に付帯する宛名印刷機を前記印刷機定義テーブルで特定する、宛名印刷機特定処理と、
前記取得した新聞印刷機の情報に基づいて、前記印刷物情報テーブルにおいて前記新聞印刷機が直近の所定時間内に印刷中の印刷物の情報を検索する、印刷物特定処理と、
前記特定した宛名印刷機と前記印刷物の情報をキーにした、宛名の印刷実績データの検索を前記宛名実績テーブルにおいて実行し、印刷実績データ群である検索結果を不良新聞束リストとしてメモリに格納する不良新聞束リスト抽出処理と、
記憶手段にて予め定めた検査優先順位の規定に従い、前記不良新聞束リストが含む印刷実績データの並べ替えを実行し、当該並べ替え後の不良新聞束リストを出力インターフェイスに表示する、不良新聞束リスト出力処理と、
を実行することを特徴とする回収対象新聞束の特定支援方法。
【請求項８】
新聞印刷工程における不良新聞束の発生に際して、回収対象新聞束の特定支援を行うべく、新聞印刷機、前記新聞印刷機に付帯して新聞束の宛名印刷を行う宛名印刷機のそれぞれとデータ通信を行う通信手段と、前記新聞印刷機とこれに付帯する前記宛名印刷機との対応関係を設定した印刷機定義テーブルと、前記新聞印刷機から取得した新聞の印刷実績データを格納する印刷物情報テーブルと、前記宛名印刷機から取得した宛名の印刷実績データを格納する宛名実績テーブルと、を記憶した記憶手段と、演算手段とを備えるコンピュータに、
不良が発生した新聞印刷機の情報を入力インターフェイスで受け付けて取得し、前記新聞印刷機に付帯する宛名印刷機を前記印刷機定義テーブルで特定するステップと、
前記取得した新聞印刷機の情報に基づいて、前記印刷物情報テーブルにおいて前記新聞印刷機が直近の所定時間内に印刷中の印刷物の情報を検索するステップと、
前記特定した宛名印刷機と前記印刷物の情報をキーにした、宛名の印刷実績データの検索を前記宛名実績テーブルにおいて実行し、印刷実績データ群である検索結果を不良新聞束リストとしてメモリに格納するステップと、
記憶手段にて予め定めた検査優先順位の規定に従い、前記不良新聞束リストが含む印刷実績データの並べ替えを実行し、当該並べ替え後の不良新聞束リストを出力インターフェイスに表示するステップと、
を実行させる回収対象新聞束の特定支援プログラム。
【発明の詳細な説明】
【技術分野】
【０００１】
本発明は、回収対象新聞束の特定支援装置、回収対象新聞束の特定支援方法、および回収対象新聞束の特定支援プログラムに関し、具体的には、新聞印刷工程における不良新聞束の発生に際して、効率的かつ迅速な回収対象新聞束の特定が可能となる技術に関する。
【背景技術】
【０００２】
製造ロット中から条件に合致する製品を特定する技術として、例えば、所定の条件に合致する製品を短時間で確実に特定すべく、製造時のロット情報の抽出を電子計算機を用いて行なうことにより、短時間でかつミス無く実施可能とするロット抽出プログラムを提供することを課題とした、各ロットの製造履歴情報を記憶した製造履歴情報記憶部を検索することによりロット情報を抽出して出力すべく、検索条件を入力するステップと、検索範囲を指定する検索範囲指定条件を入力するステップと、入力された検索条件に基づいて製造履歴情報記憶部の製造履歴情報から製造工程情報を生成するステップと、検索条件と、検索範囲指定条件と、製造工程情報とに基づいて製造履歴情報記憶部の検索を行ない、該当したロットのロット情報を抽出して出力するステップとを具備することを特徴とするロット抽出プログラム（特許文献１参照）などが提案されている。
【特許文献１】特開２００４−０９４８５８号公報
【発明の開示】
【発明が解決しようとする課題】
【０００３】
ところで、新聞印刷の業務は、新聞印刷業務、新聞束作成・宛名紙添付・梱包を行なう発送業務、トラックなどへの仕分業務に別れている。こうした各業務を経て顧客の手元に届けられる新聞紙は、印刷工場から発送される際に、新聞束となって発送されることとなっている。この新聞束には、新聞束の情報（新聞の属性や束発送先など）を記載した用紙(宛名紙)が添付され、前記新聞束情報がバーコードと文字にて印字されている。
【０００４】
例えば、前記仕分け業務を行う仕分けシステムでは、前記宛名紙のバーコード情報を適宜なリーダで読み取ることで、仕分け対象の各新聞束に関する情報を取得している。このように、各システム毎に前記新聞束等の識別情報を含む処理実績のデータを収集してはいるが、前記各業務の管理システムは互いに別れていることが大半であり、各システム間の情報共有はほとんど行われていない。
【０００５】
そのため、新聞印刷工程における不良新聞束の発生に際し、回収対象新聞束の特定を行おうにも、どの業務のどの装置で処理された新聞束なのか迅速に特定することが非常に困難で、結局は印刷工場担当者らの経験や勘に頼った人海戦術で不良新聞束の発生元を捜索することが多い。
【０００６】
そこで、本発明は上記課題を鑑みてなされたものであり、新聞印刷工程における不良新聞束の発生に際して、効率的かつ迅速な回収対象新聞束の特定が可能となる技術の提供を目的とする。
【課題を解決するための手段】
【０００７】
本発明の回収対象新聞束の特定支援装置は、新聞印刷工程における不良新聞束の発生に際して、回収対象新聞束の特定支援を行うコンピュータであって、新聞印刷機、前記新聞印刷機に付帯して新聞束の宛名印刷を行う宛名印刷機のそれぞれとデータ通信を行う通信手段と、前記新聞印刷機とこれに付帯する前記宛名印刷機との対応関係を設定した印刷機定義テーブルと、前記新聞印刷機から取得した新聞の印刷実績データを格納する印刷物情報テーブルと、前記宛名印刷機から取得した宛名の印刷実績データを格納する宛名実績テーブルと、を記憶した記憶手段と、不良が発生した新聞印刷機の情報を入力インターフェイスで受け付けて取得し、前記新聞印刷機に付帯する宛名印刷機を前記印刷機定義テーブルで特定する、宛名印刷機特定手段と、前記取得した新聞印刷機の情報に基づいて、前記印刷物情報テーブルにおいて前記新聞印刷機が直近の所定時間内に印刷中の印刷物の情報を検索する、印刷物特定手段と、前記特定した宛名印刷機と前記印刷物の情報をキーにした、宛名の印刷実績データの検索を前記宛名実績テーブルにおいて実行し、印刷実績データ群である検索結果を不良新聞束リストとしてメモリに格納する不良新聞束リスト抽出手段と、記憶手段にて予め定めた検査優先順位の規定に従い、前記不良新聞束リストが含む印刷実績データの並べ替えを実行し、当該並べ替え後の不良新聞束リストを出力インターフェイスに表示する、不良新聞束リスト出力手段と、を備えることを特徴とする。
【０００８】
また、前記回収対象新聞束の特定支援装置１００は、前記不良新聞束リストが含む前記印刷実績データのうち、印刷実績データにおける宛名印刷時刻のデータが所定時刻範囲に含まれるものを特定し、当該所定時刻範囲に含まれる印刷実績データの中で前記検査優先順位の規定における最上位のものを検査対象束のデータとして特定し、当該検査対象束データを含む良不良検査依頼通知を出力インターフェイスに表示する、検査依頼通知手段と、前記検査対象束に関する良不良検査結果を入力インターフェイスで受け付けて取得し、当該良不良検査結果が該当検査対象束の不良を示すものであれば、前記不良新聞束リストにおいて前記検査対象束より前記宛名印刷時刻が後の新聞束は不良新聞束として特定し、前記良不良検査結果が該当検査対象束の正常を示すものであれば、前記不良新聞束リストにおいて前記検査対象束より前記宛名印刷時刻が前の新聞束は正常新聞束として特定し、前記不良新聞束または正常新聞束の特定結果を出力インターフェイスに表示する、範囲特定処理手段と、を備えるとしてもよい。
【０００９】
また、前記回収対象新聞束の特定支援装置において、前記検査優先順位は、前記印刷実績データにおける宛名印刷時刻が現在時刻に直近である最新性の順で規定されたものであり、前記不良新聞束リスト出力手段は、前記宛名印刷時刻の最新性順に、前記不良新聞束リストが含む印刷実績データの並べ替えを実行し、当該並べ替え後の不良新聞束リストを出力インターフェイスに表示するものである、としてもよい。
【００１０】
また、前記回収対象新聞束の特定支援装置において、前記検査優先順位は、前記印刷実績データにおける宛名印刷時刻が現在時刻に直近である最新性の順で規定されたものであり、前記検査依頼通知手段は、前記所定時刻範囲に含まれる印刷実績データの中で前記宛名印刷時刻の最新性において最上位のものである、最も直近に宛名印刷されたものを検査対象束のデータとして特定し、当該検査対象束データを含む良不良検査依頼通知を出力インターフェイスに表示するものである、としてもよい。
【００１１】
また、前記回収対象新聞束の特定支援装置において、前記通信手段は、新聞束発送時の仕分け処理を行う仕分け装置とデータ通信を行うものであり、前記記憶手段は、前記仕分け装置から取得した新聞束の脱荷実績データを格納する脱荷実績テーブルを記憶するものであり、前記不良新聞束リスト中の印刷実績データが含む宛名印刷機および印刷宛名の情報をキーに、前記脱荷実績テーブルにおいて新聞束輸送手段への該当新聞束の積載状況データを取得しメモリに格納する、積載状況取得手段を備え、前記検査優先順位は、前記メモリに格納した新聞束の積載状況が「積載前」かそれに近い順である積載作業未進行の順で規定されたものであり、前記不良新聞束リスト出力手段は、前記積載作業未進行の順に、前記不良新聞束リストが含む印刷実績データの並べ替えを実行し、当該並べ替え後の不良新聞束リストを出力インターフェイスに表示するものである、としてもよい。
【００１２】
また、前記回収対象新聞束の特定支援装置において、前記通信手段は、新聞束発送時の仕分け処理を行う仕分け装置とデータ通信を行うものであり、前記記憶手段は、前記仕分け装置から取得した新聞束の脱荷実績データを格納する脱荷実績テーブルを記憶するものであり、前記不良新聞束リスト中の印刷実績データが含む宛名印刷機および印刷宛名の情報をキーに、前記脱荷実績テーブルにおいて新聞束輸送手段への該当新聞束の積載状況データを取得しメモリに格納する、積載状況取得手段を備え、前記検査優先順位は、前記メモリに格納した新聞束の積載状況が「積載前」かそれに近い順である積載作業未進行の順で規定されたものであり、前記検査依頼通知手段は、前記所定時刻範囲に含まれる印刷実績データの中で前記積載作業未進行の順において最上位のものである、最も積載作業が進行していないものを検査対象束のデータとして特定し、当該検査対象束データを含む良不良検査依頼通知を出力インターフェイスに表示するものである、としてもよい。
【００１３】
また、本発明の回収対象新聞束の特定支援方法は、新聞印刷工程における不良新聞束の発生に際して、回収対象新聞束の特定支援を行うコンピュータが、新聞印刷機、前記新聞印刷機に付帯して新聞束の宛名印刷を行う宛名印刷機のそれぞれとデータ通信を行う通信手段と、前記新聞印刷機とこれに付帯する前記宛名印刷機との対応関係を設定した印刷機定義テーブルと、前記新聞印刷機から取得した新聞の印刷実績データを格納する印刷物情報テーブルと、前記宛名印刷機から取得した宛名の印刷実績データを格納する宛名実績テーブルと、を記憶した記憶手段と、演算手段とを備えて、不良が発生した新聞印刷機の情報を入力インターフェイスで受け付けて取得し、前記新聞印刷機に付帯する宛名印刷機を前記印刷機定義テーブルで特定する、宛名印刷機特定処理と、前記取得した新聞印刷機の情報に基づいて、前記印刷物情報テーブルにおいて前記新聞印刷機が直近の所定時間内に印刷中の印刷物の情報を検索する、印刷物特定処理と、前記特定した宛名印刷機と前記印刷物の情報をキーにした、宛名の印刷実績データの検索を前記宛名実績テーブルにおいて実行し、印刷実績データ群である検索結果を不良新聞束リストとしてメモリに格納する不良新聞束リスト抽出処理と、記憶手段にて予め定めた検査優先順位の規定に従い、前記不良新聞束リストが含む印刷実績データの並べ替えを実行し、当該並べ替え後の不良新聞束リストを出力インターフェイスに表示する、不良新聞束リスト出力処理と、を実行することを特徴とする。
【００１４】
また、本発明の回収対象新聞束の特定支援プログラムは、新聞印刷工程における不良新聞束の発生に際して、回収対象新聞束の特定支援を行うべく、新聞印刷機、前記新聞印刷機に付帯して新聞束の宛名印刷を行う宛名印刷機のそれぞれとデータ通信を行う通信手段と、前記新聞印刷機とこれに付帯する前記宛名印刷機との対応関係を設定した印刷機定義テーブルと、前記新聞印刷機から取得した新聞の印刷実績データを格納する印刷物情報テーブルと、前記宛名印刷機から取得した宛名の印刷実績データを格納する宛名実績テーブルと、を記憶した記憶手段と、演算手段とを備えるコンピュータに、不良が発生した新聞印刷機の情報を入力インターフェイスで受け付けて取得し、前記新聞印刷機に付帯する宛名印刷機を前記印刷機定義テーブルで特定するステップと、前記取得した新聞印刷機の情報に基づいて、前記印刷物情報テーブルにおいて前記新聞印刷機が直近の所定時間内に印刷中の印刷物の情報を検索するステップと、前記特定した宛名印刷機と前記印刷物の情報をキーにした、宛名の印刷実績データの検索を前記宛名実績テーブルにおいて実行し、印刷実績データ群である検索結果を不良新聞束リストとしてメモリに格納するステップと、記憶手段にて予め定めた検査優先順位の規定に従い、前記不良新聞束リストが含む印刷実績データの並べ替えを実行し、当該並べ替え後の不良新聞束リストを出力インターフェイスに表示するステップと、を実行させることを特徴とする。
【００１５】
その他、本願が開示する課題、及びその解決方法は、発明の実施の形態の欄、及び図面により明らかにされる。
【発明の効果】
【００１６】
本発明によれば、新聞印刷工程における不良新聞束の発生に際して、効率的かつ迅速な回収対象新聞束の特定が可能となる。
【発明を実施するための最良の形態】
【００１７】
−−−システム構成−−−
以下に本発明の実施形態について図面を用いて詳細に説明する。図１は本実施形態における回収対象新聞束の特定支援装置１００の構成図である。本実施形態における回収対象新聞束の特定支援装置１００（以下、装置１００）は、新聞印刷工程における不良新聞束の発生に際して、回収対象新聞束の特定支援を行うコンピュータ装置である。また、前記装置１００は、新聞印刷機２００、前記新聞印刷機２００に付帯して新聞束の宛名印刷を行う宛名印刷機３００、新聞束発送時の仕分け処理を行う仕分け装置４００らとデータ通信を行って、新聞束とこれに付帯する宛名について最新の処理実績のデータを取得し、不良新聞束発生に際して前記実績データに基づいて不良新聞束の特定用情報を利用者らに提供する装置である。なお、前記装置１００が、前記新聞印刷機２００、宛名印刷機３００、仕分け装置４００らのいずれか、ないしはそれらを組合せた装置と一体になっている状況も想定できる。
【００１８】
上述の前記装置１００は、本発明の回収対象新聞束の特定支援方法を実行する機能を実現すべく不揮発性メモリなどの記憶手段１０１に格納されたプログラム１０２をメモリ１０３に読み出し、演算手段たるＣＰＵ１０４により実行する。また、前記装置１００は、コンピュータ装置が一般に備えている各種ボタン類などの入力インターフェイス１０５や、ＬＥＤやディスプレイなどの出力インターフェイス１０６、ならびに新聞印刷機２００、宛名印刷機３００、仕分け装置４００らとの間の通信を担う通信手段１０７を有している。
【００１９】
続いて、前記装置１００が例えばプログラム１０２に基づき構成・保持する手段につき説明を行う。なお、前記装置１００は、記憶手段１０１において、前記印刷機定義テーブル１２５、印刷物情報テーブル１２６、宛名実績テーブル１２７、脱荷実績テーブル１２８を利用可能である。
【００２０】
前記装置１００は、不良が発生した新聞印刷機２００の情報を入力インターフェイス１０５で受け付けて取得し、前記新聞印刷機２００に付帯する宛名印刷機３００を前記印刷機定義テーブル１２５で特定する、宛名印刷機特定手段１１０を備える。
【００２１】
また、前記装置１００は、前記取得した新聞印刷機２００の情報に基づいて、前記印刷物情報テーブル１２６において前記新聞印刷機２００が直近の所定時間内に印刷中の印刷物の情報を検索する、印刷物特定手段１１１を備える。
【００２２】
また、前記装置１００は、前記特定した宛名印刷機３００と前記印刷物の情報をキーにした、宛名の印刷実績データの検索を前記宛名実績テーブル１２７において実行し、印刷実績データ群である検索結果を不良新聞束リストとしてメモリ１０３に格納する不良新聞束リスト抽出手段１１２を備える。
【００２３】
また、前記装置１００は、記憶手段１０１にて予め定めた検査優先順位の規定に従い、前記不良新聞束リストが含む印刷実績データの並べ替えを実行し、当該並べ替え後の不良新聞束リストを出力インターフェイス１０６に表示する、不良新聞束リスト出力手段１１３を備える。
【００２４】
また、前記装置１００は、前記不良新聞束リストが含む前記印刷実績データのうち、印刷実績データにおける宛名印刷時刻のデータが所定時刻範囲に含まれるものを特定し、当該所定時刻範囲に含まれる印刷実績データの中で前記検査優先順位の規定における最上位のものを検査対象束のデータとして特定し、当該検査対象束データを含む良不良検査依頼通知を出力インターフェイス１０６に表示する、検査依頼通知手段１１４を備えるとしてもよい。
【００２５】
また、前記装置１００は、前記検査対象束に関する良不良検査結果を入力インターフェイス１０５で受け付けて取得し、当該良不良検査結果が該当検査対象束の不良を示すものであれば、前記不良新聞束リストにおいて前記検査対象束より前記宛名印刷時刻が後の新聞束は不良新聞束として特定し、前記良不良検査結果が該当検査対象束の正常を示すものであれば、前記不良新聞束リストにおいて前記検査対象束より前記宛名印刷時刻が前の新聞束は正常新聞束として特定し、前記不良新聞束または正常新聞束の特定結果を出力インターフェイス１０６に表示する、範囲特定処理手段１１５を備えるとしてもよい。
【００２６】
なお、前記検査優先順位は、前記印刷実績データにおける宛名印刷時刻が現在時刻に直近である最新性の順で規定されたものであるとしてもよい。この場合、前記不良新聞束リスト出力手段１１３は、前記宛名印刷時刻の最新性順に、前記不良新聞束リストが含む印刷実績データの並べ替えを実行し、当該並べ替え後の不良新聞束リストを出力インターフェイス１０６に表示するものとなる。また、前記検査依頼通知手段１１４は、前記所定時刻範囲に含まれる印刷実績データの中で前記宛名印刷時刻の最新性において最上位のものである、最も直近に宛名印刷されたものを検査対象束のデータとして特定し、当該検査対象束データを含む良不良検査依頼通知を出力インターフェイス１０６に表示するものとなる。
【００２７】
また、前記装置１００において、前記通信手段１０７は、新聞束発送時の仕分け処理を行う仕分け装置４００とデータ通信を行うものであり、前記記憶手段１０１は、前記仕分け装置４００から取得した新聞束の脱荷実績データを格納する脱荷実績テーブル１２８を記憶するものであるとできる。
【００２８】
この時、前記装置１００は、前記不良新聞束リスト中の印刷実績データが含む宛名印刷機および印刷宛名の情報をキーに、前記脱荷実績テーブル１２８において新聞束輸送手段への該当新聞束の積載状況データを取得しメモリ１０３に格納する、積載状況取得手段１１６を備えるとしてもよい。また、この場合の前記検査優先順位は、前記メモリ１０３に格納した新聞束の積載状況が「積載前」かそれに近い順である積載作業未進行の順で規定されたものとなり、前記不良新聞束リスト出力手段１１３は、前記積載作業未進行の順に、前記不良新聞束リストが含む印刷実績データの並べ替えを実行し、当該並べ替え後の不良新聞束リストを出力インターフェイス１０６に表示するものとなる。また、前記検査依頼通知手段１１４は、前記所定時刻範囲に含まれる印刷実績データの中で前記積載作業未進行の順において最上位のものである、最も積載作業が進行していないものを検査対象束のデータとして特定し、当該検査対象束データを含む良不良検査依頼通知を出力インターフェイス１０６に表示するものとなる。
【００２９】
なお、これまで示した装置１００における各手段１１０〜１１６は、ハードウェアとして実現してもよいし、メモリやＨＤＤ（Hard Disk Drive）などの適宜な記憶手段格納したプログラムとして実現するとしてもよい。この場合、前記ＣＰＵ１０４がプログラム実行に合わせて記憶手段１０１より該当プログラムをメモリ１０３に読み出して、これを実行することとなる。また、前記ネットワーク１４０に関しては、通信プロトコルに沿ったネットワークを想定する。
【００３０】
−−−テーブル構造例−−−
次に、本実施形態における装置１００が利用するテーブルの構造について説明する。図２は本実施形態における、（ａ）印刷機定義テーブル１２５、（ｂ）印刷物情報テーブル１２６、の各データ構造例を示す図である。
【００３１】
前記印刷機定義テーブル１２５は、新聞印刷機２００とこれに付帯する前記宛名印刷機３００との対応関係を設定したテーブルである。この印刷機定義テーブル１２５は、例えば、新聞印刷機コードをキーとして、宛名印刷機コードを対応付けたレコードの集合体となっている。
【００３２】
また前記印刷物情報テーブル１２６は、新聞印刷機２００から取得した新聞の印刷実績データを格納するテーブルである。この印刷物情報テーブル１２６は、例えば、新聞印刷機コードをキーとして、該当新聞印刷機２００が直近の所定期間内に印刷している印刷物（＝新聞紙）の印刷物コードを対応付けたレコードの集合体となっている。
【００３３】
図３は、本実施形態における、（ａ）宛名実績テーブル１２７、（ｂ）脱荷実績テーブル１２８の各データ構造例を示す図である。
【００３４】
前記宛名実績テーブル１２７は、宛名印刷機３００から取得した宛名の印刷実績データを格納するテーブルである。この宛名実績テーブル１２７は、例えば、新聞束を作成した時刻（＝宛名印刷時刻）である束作成実績時間をキーとして、新聞束の作成・宛名印刷を行った宛名印刷機３００の宛名印刷機コード、宛名印刷通番（各宛名印刷機において印刷した宛名間で連続する通し番号）、仕分けコード（脱荷対象の新聞束毎に設定され、脱荷作業を行う脱荷ゲートと対応）、印刷物コードといった情報を対応付けたレコードの集合体となっている。
【００３５】
また、前記脱荷実績テーブル１２８は、仕分け装置４００から取得した新聞束の脱荷実績データを格納するテーブルである。この脱荷実績テーブル１２８は、例えば、脱荷処理がなされた時刻情報である脱荷実績時刻をキーとして、脱荷先のトラックを示す脱荷トラックコード、脱荷対象の新聞束の作成を行った宛名印刷機３００の宛名印刷機コード、宛名印刷通番、仕分けコード、脱荷ゲートＮｏ．（脱荷作業を行う脱荷ゲートのＩＤ）といった情報を対応付けたレコードの集合体となっている。
【００３６】
−−−処理フロー例１−−−
以下、本実施形態における回収対象新聞束の特定支援方法の実際手順について、図に基づき説明する。なお、以下で説明する回収対象新聞束の特定支援方法に対応する各種動作のうち前記装置１００に関するものは、前記装置１００がメモリ１０３に読み出して実行するプログラム１０２によって実現される。そしてこのプログラム１０２は、以下に説明される各種の動作を行うためのコードから構成されている。
【００３７】
図４は、本実施形態の回収対象新聞束の特定支援方法の処理手順例１を示す図である。なお、本実施形態の回収対象新聞束の特定支援方法を実行するに当たって新聞印刷工場では以下のような実作業が実行されていく。まず、宛名制御データに従って宛名印刷機３００が新聞束作成・宛名印刷及び新聞束への宛名紙添付を実行し、ここで作成された新聞束が、梱包後、仕分け装置４００(仕分ライン)に投入される。そして、前記仕分け装置４００は、仕分ライン上の新聞束の宛名紙のバーコードを読み取る。また、前記読取り情報に基づいて脱荷対象トラックの存在を確認し、前記新聞束の脱荷先を確定させる。そして、前記仕分け装置４００は確定した脱荷先対象の情報に従って、束検知装置にて該当ゲートに接近している新聞束を検知し脱荷させることとなる。つまりこうした作業の実績が装置１００の記憶手段１０１の各テーブル類に収集され、利用されることとなる。
【００３８】
まず前提として、新聞印刷工場において不良新聞束の発生があった状況を想定する。この時、前記装置１００の宛名印刷機特定手段１１０は、前記印刷機定義テーブル１２５から新聞印刷機名称の一覧を読み出し、不良要因のリスト（記憶手段１０１において所定のテーブルで予め用意）とあわせてディスプレイ装置（出力インターフェイス１０６）の画面に表示する（ｓ１００）。
【００３９】
前記新聞印刷工場において不良新聞束の発生を認識している管理者等は、前記ディスプレイ装置の画面を閲覧し、当該画面にて不良新聞束が発生したと思われる新聞印刷機名称、不良要因を選択する。前記宛名印刷機特定手段１１０は、前記選択を受付ける（ｓ１０１）。そして、前記選択を受け付けた新聞印刷機名称をキーにして、所定の新聞印刷機のリスト（記憶手段１０１において予め用意）での検索を実行し、新聞印刷機コードを取得する。また、印刷機定義テーブル１２５において、前記新聞印刷機コードをキーにした検索を実行し、この新聞印刷機２００に付帯した宛名印刷機３００のコードを取得する（ｓ１０２）。
【００４０】
更に、前記装置１００の印刷物特定手段１１１は、前記新聞印刷機コードをキーにして前記印刷物情報テーブル１２６の検索を実行し、該当新聞印刷機２００にて現在印刷中の印刷物のコードを取得する。
【００４１】
また、前記装置１００の不良新聞束リスト抽出手段１１２は、前記取得した宛名印刷機コードと印刷物コードをキーにして、宛名実績テーブル１２７において該当レコードの抽出を実行し、抽出レコードが含む、束作成実績時間、宛名印刷機コード、宛名印刷通番、仕分コードを取得し、不良新聞束リスト（例えば、図１０（ａ）参照）を作成する（ｓ１０３）。
【００４２】
また、前記装置１００の積載状況取得手段１１６は、前記不良新聞束リストが含む、宛名印刷機コード、宛名印刷通番をキーにして、前記脱荷実績テーブル１２８を検索し、前記キーに該当するレコードが存在する場合、脱荷実績時刻、脱荷トラックコードを取得し、前記不良新聞束リストの該当欄（不良新聞束リストの各レコードには予め前記脱荷実績時刻、脱荷トラックコードの設定欄がある）に設定し、更新する（ｓ１０４）。
【００４３】
続いて、前記装置１００の不良新聞束リスト出力手段１１３は、前記不良新聞束リストにおける積載ステータス（不良新聞束リストの各レコードには予め前記積載ステータスの設定欄がある）を下記条件の元に更新する（ｓ１０５）。
【００４４】
この条件とは、例えば、（１）積載前 (工場内トラック積載前)：束作成実績時間が脱荷実績テーブル１２８に入力されているが脱荷実績時刻が入力されていない、（２）積載済 (工場内トラック積載済)：束作成実績時間、脱荷実績時刻が前記脱荷実績テーブル１２８に入力されており該当トラックが着車中（未発車）である、（３）発車済 (工場からトラックが出発済)：束作成実績時間、脱荷実績時刻が前記脱荷実績テーブル１２８に入力されており該当トラックが発車済である。
【００４５】
上記不良新聞束リスト出力手段１１３は、前記不良新聞束リストにおいて、各レコードの束ステータス（良不良の情報）を、全て「未確定不良」と更新する（ｓ１０６）。
【００４６】
そして、こうした不良新聞束リストについて、前記不良新聞束リスト出力手段１１３が、所定基準のもとにレコードの並べ替えを実行し、この結果、最上位にリストアップされた不良新聞束について前記装置１００の検査依頼通知１１４がディスプレイ装置等に出力する。また、前記装置１００の範囲特定手段１１５が、前記ディスプレイ装置の画面から入力された、該当不良新聞束に関する良不良の検査結果を取得し、不良新聞束の範囲特定処理を実施するのである（ｓ１０７）。
【００４７】
−−−処理フロー例２−−−
図５は、本実施形態の回収対象新聞束の特定支援方法の処理手順例２を示す図である。ここでは、不良新聞束リスト中に含まれる不良新聞束が全て回収対象となる場合（パターン１）の処理を説明する。この場合、前記不良新聞束リスト出力手段１１３は、前記不良新聞束リスト（図１０（ａ）参照）の「束ステータス」を全て「不良」と更新する（ｓ２００）。
【００４８】
また、前記積載状況取得手段１１６は、メモリ１０３に設けた不良新聞束積載トラックワークエリア（トラックに積載済みとなっている不良新聞束の積載状況のデータを一時的に格納する記憶領域）を一旦クリアする。そして、前記不良新聞束リストにおいて、脱荷トラックコードと積載ステータスを含むレコードについてはこれら脱荷トラックコードと積載ステータスのデータを取得し、前記不良新聞束積載トラックワークエリアにデータを追加する。こうした処理を、前記不良新聞束リストが含む各レコード毎、つまり不良新聞束毎に行って、前記レコード間で重複しないかぎりは、前記脱荷トラックコードと積載ステータスのデータを前記不良新聞束積載トラックワークエリアに追加していく（ｓ２０１）。つまりこの不良新聞束積載トラックワークエリアには、トラック（＝新聞束の輸送手段）に積載済みの不良新聞束に関する積載状況のデータがためられる（図１０（ｂ）参照）。
【００４９】
続いて、前記不良新聞束リスト出力手段１１３は、前記不良新聞束積載トラックワークエリアに、データが存在するか判定し（ｓ２０２）、１つもデータがなければ（ｓ２０２：データが無い）、前記不良新聞束リストに含まれる各不良新聞束のレコードを、束作成実績時間でソート（例えば、新聞束作成時刻が現在時刻に近い順）して前記ディスプレイ装置の画面に一覧表示する（ｓ２０３）。不良新聞束リスト（不良新聞束リスト）の出力例を図１５に示している。この図１５の画面１０００では、不良新聞束情報の一覧エリア１０１０において、束作成実績時間、宛名印刷機コード、宛名印刷通番、積載状況、積載トラックの各情報を表示している。また、表示条件の選択欄１０２０において、「全て」：全不良新聞束、「積載前」：トラック積載前、および脱荷トラックコード、という各選択条件を表示して、利用者から表示条件選択を受付可能としている（勿論、ここでの選択に応じて前記不良新聞束情報の一覧エリア１０１０を構成する各情報を適宜変更する）。
【００５０】
また、前記不良新聞束リスト出力手段１１３は、前記画面１０００における「帳票出力」ボタン１０３０の押下に応じて、前記ソートした前記不良新聞束リストを帳票出力する（ｓ２０４）。この帳票１１００の例を図１６に示す。この帳票１１００は前記画面１０００の構成情報とほぼ同じであるが、該当新聞束の回収時に確認マーク記入できる、回収チェック欄１１１０が別途設けられている。勿論、前記装置１００は記憶手段１０１においてこの帳票１１００のフォームデータを予め備えていて、当該フォームデータ中の各欄に対応するデータを前記不良新聞束リスト等から抽出して設定することで帳票データを生成し、この帳票データを、当該装置１００に接続されたプリンタ装置に印刷データとして送信する。新聞印刷工場の管理者等はこの帳票１１００を前記プリンタ装置から得て、不良新聞束の回収作業時に活用できるのである。
【００５１】
一方、前記不良新聞束積載トラックワークエリアに、１つ以上データがあれば（ｓ２０２：１つ以上データがある）、前記不良新聞束リスト出力手段１１３は、前記不良新聞束リストにおいて、前記不良新聞束積載トラックワークエリアに格納されている脱荷トラックコードをキーにレコード抽出し、ここで抽出したレコードをディスプレイ装置の画面にて一覧表示する。ここで抽出されるレコードは、積載ステータスが「積載済み」、または「発車済」となっている不良新聞束に関するものである。或いは、前記前記不良新聞束リスト出力手段１１３は、前記不良新聞束リストにおいて、積載状況が「積載前」つまり脱荷実績時刻の情報が無いレコード（図１０（ａ）の例では、束作成実績時間が“20070901011340”の最下段のレコードのみ）を抽出し、同様に一覧表示する（ｓ２０５）。
【００５２】
また、前記不良新聞束リスト出力手段１１３は、前記不良新聞束リストにおいて、前記不良新聞束積載トラックワークエリアのトラックコードをキーにレコード抽出し、該当レコードの一覧を帳票出力(積載状況が「積載済み」、「発車済」のもの)する。或いは、不良新聞束リストにおいて、積載状況が「積載前」つまり、脱荷実績時刻の情報がないレコードを抽出し、該当レコードの一覧を帳票出力する（ｓ２０６）。
【００５３】
−−−処理フロー例３−−−
図６〜９は、本実施形態の回収対象新聞束の特定支援方法の処理手順例３（手順例３ａ〜３ｄで一連のフロー）を示す図である。ここでは、不良新聞束リスト中に含まれる不良新聞束のうち、ある時刻を境目にその前後いずれかの範囲が回収対象となる場合（パターン２）の処理を説明する。
【００５４】
この場合、前記不良新聞束リスト出力手段１１３は、前記不良新聞束リスト（図１１（ａ）参照）の束ステータスを全て「未確定不良」に更新する（ｓ３００）。また、前記不良新聞束リスト出力手段１１３は、メモリ１０３に設けた束特定グループワークエリアのデータを一旦クリアする。そして、前記不良新聞束リストが含むレコードを束作成実績時間の降順でソートし、レコード並べ替えを実行する。なお、前記束特定グループワークエリアは、不良新聞束リスト中のレコードを、束作成実績時間が所定時刻範囲に含まれるもの毎にグループ化し、このグループのデータを一時的に格納する記憶領域である。
【００５５】
次に、前記検査依頼通知手段１１４は、前記並べ替えを行った不良新聞束リストにおける先頭レコード(直近に作成した不良新聞束に関するレコード)から、束作成実績時間を基準として所定の時間間隔分（記憶手段１０１において予め記憶された時間間隔で、例えば、「５分」）のレコード抽出を行い、これを不良新聞束リスト中の末尾レコードまで繰り返す。
【００５６】
図１１（ａ）の例では、束作成実績時間が降順になる順番でレコードが並べ替えられているので、前記検査依頼通知手段１１４は、リスト最下段の束作成実績時間“20070901011340”（最も直近に作成された新聞束のもの）のレコードから、束作成実績時間が例えば５分前のレコードを７つ、そして前記束作成実績時間“20070901011340”から５分以上前の束作成実績時間“20070901010840”から、束作成実績時間が５分前のレコードを８つ抽出し、これらをそれぞれ「グループ１」、「グループ２」として前記束特定グループワークエリアにおいて各グループのデータを格納している（ｓ３０１）。なお、前記束特定グループワークエリアにグループデータを格納する際には、レコードの抽出回数を「グループNo」、抽出したレコード数を「グループ束数」とし、抽出したレコード数が１以上の場合は抽出したレコードの先頭データの束作成実績時間を「キー束作成実績時間」とする。
【００５７】
続いて、前記検査依頼通知手段１１４は、前記束特定グループワークエリアに格納されているグループデータを、「グループNo」の昇順でソートする。ここで、初回処理時は先頭データを指定グループデータとし、初回処理以降は次データを指定グループデータとする（ｓ３０２）。そして、前記指定グループデータのグループ束数が１以上か否か判定する（ｓ３０３）。図１１（ｂ）の例では、指定グループデータとしてグループＮｏ．“１”を特定し、このグループＮｏ．“１”におけるグループ束数は“７”となっている。したがってこの場合、前記ステップｓ３０３で、グループ束数が「１以上」となり、次ステップｓ３０４に処理を進めることとなる。他方、前記グループ束数が「０」であったならば（ｓ３０３：０）、処理を前記ステップｓ３０２に戻し、他のグループについて処理を同様に実行する。
【００５８】
前記検査依頼通知手段１１４は、前記ステップｓ３０３：１以上、に引き続き、ステップｓ３０４において、前記指定グループが含むレコードのうち、所定の検査優先順規定、例えば、積載ステータスが“積載前”を最優先とし、以下、“積載済”、“発車済”の順で順位の優先度を定めた規定において、積載ステータスが“積載前”のものを特定する。なお、積載ステータスが“積載前”のレコードが複数ある場合には、束作成実績時間の最新性が最高のもの、つまり束作成実績時間が現在時刻に最も近いものを抽出する。図１２（ａ）に示す不良新聞束リストの例では、束作成実績時間が“20070901011340”のレコードの脱荷実績時刻が無く、つまり積載ステータスが“積載前”であるから、このレコードが特定されることとなる。
【００５９】
また前記検査依頼通知手段１１４は、ディスプレイ装置の画面に、前記ステップｓ３０４で抽出したレコードのデータを検査対象束として表示する（ｓ３０５）。ここで表示されるデータとしては、図１７（ａ）の画面例１２００に示すように、例えば、宛名印刷機コード、宛名印刷通番、積載ステータス、脱荷トラックコードが想定できる。上記までの例であれば、積載ステータスが“積載前”のレコードを検査対象束として抽出したので、脱荷トラックコードのデータは空欄となっている。
【００６０】
一方、この検査対象束の情報が示された画面１２００をディスプレイ装置で閲覧した前記管理者らは、新聞印刷工場内で検査対象束の束検査を行なうこととなる。そして、この検査結果を前記画面１２００において、例えば、「不良」ボタン１２１０、または、「正常」ボタン１２２０の押下でもって入力する。前記範囲特定処理手段１１５は、この検査結果の入力を受付ける（ｓ３０６）。なお、前記画面１２０において、「印刷」ボタン１２３０が押下された場合、前記範囲特定処理手段１１５は、前記画面１２００に基づく印刷データをプリンタ装置に送信する。プリンタ装置では、図１７（ｂ）に示す印刷例１３００のごとく印刷物を出力する。
【００６１】
前記範囲特定処理手段１１５は、前記画面１２００で受けた検査結果が、「正常」を示すものであったか否かを判定する（ｓ３０７）。この判定の結果、前記検査対象束の検査結果が「不良」を示すものであったならば（ｓ３０７：不良）、前記範囲特定処理手段１１５は、前記不良新聞束リストにおいて束作成実績時間が前記検査対象束の束作成実績時間以後(検査対象束と当該検査対象束より後に作成された新聞束)のレコードの束ステータスを全て「不良」に更新する（ｓ３０８）。図１２（ｂ）に示す不良新聞束リストの例では、前記束作成実績時間が“20070901011340”のレコード以後に作成された不良新聞束が無いため、この束作成実績時間が“20070901011340”のレコードのみについて、束ステータスを「不良」としている。
【００６２】
他方、前記検査対象束の検査結果が「正常」を示すものであったならば（ｓ３０７：正常）、前記不良新聞束リストにおいて束作成実績時間が前記検査対象束の束作成実績時間以前(該当検査対象束と該当検査対象束より先に作成された新聞束)のレコードの束ステータスを全て「正常」に更新する（ｓ３０９）。
【００６３】
続いて、前記範囲特定処理手段１１５は、前記束特定グループワークエリアにおいて、前記グループ“１”の他にグループデータが存在するか判定し、まだ残っている場合（ｓ３１０：最終データ以外）、処理を前記ステップｓ３０２に戻す。他方、前記束特定グループワークエリアにおいて、他にグループデータが残っていない場合（ｓ３１０：最終データ）、前記不良新聞束リストの束ステータスが「未確定不良」のレコードが存在するか判定する（ｓ３１１）。
【００６４】
前記不良新聞束リストにおいて束ステータスが「未確定不良」のレコードが存在しない場合（ｓ３１１：存在しない）、処理をステップｓ３２０に進める。他方、前記不良新聞束リストにおいて束ステータスが「未確定不良」のレコードが存在する場合（ｓ３１１：存在する）、前記検査依頼通知手段１１４は、前記不良新聞束リストのレコードを束作成実績時間の降順でソートし、束ステータスが「未確定不良」のレコードを先頭としてグループ束数分のレコードを抽出する。そして、前記抽出結果を前記検査優先順、例えば、積載ステータスの優先順が高い順序にソートする（ｓ３１２）。つまり、束ステータスが「未確定不良」のレコードが不良新聞束リストに残されている場合、レコードのグループ化を再度行って、その中から次の検査対象束を特定するのである。ソート後の不良新聞束リストの例として、図１３（ａ）に示す。この例では、積載ステータスが“積載前”のレコードが無いため、積載ステータスが“積載済み”のレコード群のうち、束作成実績時間が最新の“20070901010840”のレコードがリスト最上位にある。
【００６５】
前記検査依頼通知手段１１４は、ディスプレイ装置の画面に、前記ステップｓ３１２でソートしたレコード群の先頭のレコード(優先度が高いもの)を検査対象束として表示する（ｓ３１３）。
【００６６】
一方、前記検査対象束（束作成実績時間が“20070901010840”のもの）の情報が示された画面をディスプレイ装置で閲覧した前記管理者らは、新聞印刷工場内で検査対象束の束検査を行なうこととなる。そして、この検査結果を前記画面において入力する。前記範囲特定処理手段１１５は、この検査結果の入力を受付ける（ｓ３１５）。
【００６７】
前記範囲特定処理手段１１５は、前記画面で受けた検査結果が、「正常」を示すものであったか否かを判定する（ｓ３１６）。この判定の結果、前記検査対象束の検査結果が「不良」を示すものであったならば（ｓ３１６：不良）、前記範囲特定処理手段１１５は、前記不良新聞束リストにおいて束作成実績時間が前記検査対象束の束作成実績時間以後(検査対象束と当該検査対象束より後に作成された新聞束)のレコードの束ステータスを全て「不良」に更新する（ｓ３１７）。
【００６８】
他方、前記検査対象束の検査結果が「正常」を示すものであったならば（ｓ３１６：正常）、前記不良新聞束リストにおいて束作成実績時間が前記検査対象束の束作成実績時間以前(該当検査対象束と該当検査対象束より先に作成された新聞束)のレコードの束ステータスを全て「正常」に更新する（ｓ３１８）。図１３（ｂ）に示す不良新聞束リストの例では、前記束作成実績時間が“20070901010840”のレコード以前に作成された不良新聞束について、束ステータスを「正常」としている。
【００６９】
続いて、前記範囲特定処理手段１１５は、前記不良新聞束リスト中に束ステータスが「未確定不良」のレコードが存在するか判定する（ｓ３１９）。前記不良新聞束リストにおいて束ステータスが「未確定不良」のレコードが存在しない場合（ｓ３１９：存在しない）、処理をステップｓ３２０に進める。他方、前記不良新聞束リストにおいて束ステータスが「未確定不良」のレコードが存在する場合（ｓ３１９：存在する）、処理を前記ステップｓ３１２に戻す。図１３（ｂ）に示す例では、束ステータス“未確定不良”のレコードが残されており、図１４（ａ）に示すように“未確定不良”のレコードを抽出して、前記ステップｓ３１２の実行に備える。
【００７０】
一方、不良新聞束リストにおいて束ステータスが「未確定不良」のレコードが存在しない場合（ｓ３１９：存在しない）、つまり、不良新聞束リスト中の全レコードの束ステータスが、“不良”か“正常”の少なくともいずれかに設定された状態（図１４（ｂ）参照）において、前記範囲特定処理手段１１５は、前記不良新聞束積載トラックワークエリアを一旦クリアした後、前記不良新聞束リスト中において束ステータスが「不良」となっているレコードを抽出し、このレコードから脱荷トラックコードと積載ステータス（積込済、発車済）を取得する。そして前記不良新聞束積載トラックワークエリアに前記脱荷トラックコードと積載ステータスのデータを追加する（ｓ３２０）。前記各レコード間で重複しない限り、脱荷トラックコードと積載ステータスの追加処理を繰り返す。
【００７１】
また、前記不良新聞束リスト出力手段１１３は、前記不良新聞束積載トラックワークエリアにデータが存在するか判定する（ｓ３２１）。前記不良新聞束積載トラックワークエリアにデータが存在しない場合（ｓ３２１：データが無い）、前記不良新聞束リストのレコードを束作成実績時間でソートし、前記ディスプレイ装置の画面に一覧表示する（ｓ３２２）。また、前記不良新聞束リストの印刷データを生成してプリンタ装置に送信し、帳票出力を行う（ｓ３２３）。
【００７２】
他方、前記不良新聞束積載トラックワークエリアにデータが存在する場合（ｓ３２１：１つ以上データがある）、前記不良新聞束リスト出力手段１１３は、前記不良新聞束リスト中において束ステータスが「不良」となっているレコードであり、なお且つ前記不良新聞束積載トラックワークエリアの脱荷トラックコードに該当するレコード（積載ステータスが積込済、発車済のもの）を、前記不良新聞束リストから抽出し、前記ディスプレイ装置の画面に一覧表示する。或いは、前記不良新聞束リスト出力手段１１３は、前記不良新聞束リスト中において束ステータスが「不良」なレコードであり、なお且つ積載ステータスが「積載前」であるレコードを不良新聞束リストから抽出し、ディスプレイ装置の画面に一覧表示する（ｓ３２４）。
【００７３】
また、前記不良新聞束リスト出力手段１１３は、前記不良新聞束リスト中において束ステータスが「不良」のレコードから、不良新聞束積載トラックワークエリアの脱荷トラックコードに該当するレコードを抽出し、該当レコードの一覧を帳票出力(積載状況が「積載済」、「発車済」のもの)する。或いは、不良新聞束リストにおいて、束ステータスが「不良」のレコードから、積載状況が「積載前」つまり、脱荷実績時刻の情報がないレコードを抽出し、該当レコードの一覧を帳票出力し（ｓ３２５）、本フローは終了する。
【００７４】
したがって本実施形態によれば、新聞印刷工程における不良新聞束の発生に際して、効率的かつ迅速な回収対象新聞束の特定が可能となる。
【００７５】
以上、本発明の実施の形態について、その実施の形態に基づき具体的に説明したが、これに限定されるものではなく、その要旨を逸脱しない範囲で種々変更可能である。
【図面の簡単な説明】
【００７６】
【図１】本実施形態における回収対象新聞束の特定支援装置を含むネットワーク構成図である。
【図２】本実施形態における、（ａ）印刷機定義テーブル、（ｂ）印刷物情報テーブルの各データ構造例を示す図である。
【図３】本実施形態における、（ａ）宛名実績テーブル、（ｂ）脱荷実績テーブルの各データ構造例を示す図である。
【図４】本実施形態の回収対象新聞束の特定支援方法の処理手順例１を示す図である。
【図５】本実施形態の回収対象新聞束の特定支援方法の処理手順例２を示す図である。
【図６】本実施形態の回収対象新聞束の特定支援方法の処理手順例３ａを示す図である。
【図７】本実施形態の回収対象新聞束の特定支援方法の処理手順例３ｂを示す図である。
【図８】本実施形態の回収対象新聞束の特定支援方法の処理手順例３ｃを示す図である。
【図９】本実施形態の回収対象新聞束の特定支援方法の処理手順例３ｄを示す図である。
【図１０】本実施形態の不良新聞束リスト（不良新聞束リスト）の例１を示す図である。
【図１１】本実施形態の不良新聞束リスト（不良新聞束リスト）の例２を示す図である。
【図１２】本実施形態の不良新聞束リスト（不良新聞束リスト）の例３を示す図である。
【図１３】本実施形態の不良新聞束リスト（不良新聞束リスト）の例４を示す図である。
【図１４】本実施形態の不良新聞束リスト（不良新聞束リスト）の例５を示す図である。
【図１５】本実施形態の不良新聞束リストである不良発生情報の表示画面例を示す図である。
【図１６】本実施形態の不良発生情報の帳票例を示す図である。
【図１７】本実施形態の、（ａ）検査対象束情報の表示画面例、（ｂ）検査対象束情報の表示画面印刷結果例を示す図である。
【符号の説明】
【００７７】
１００  回収対象新聞束の特定支援装置
１０１  記憶手段
１０２  プログラム
１０３  メモリ
１０４  ＣＰＵ（演算手段）
１０５  入力インターフェイス
１０６  出力インターフェイス
１０７  通信手段
１１０  宛名印刷機特定手段
１１１  印刷物特定手段
１１２  不良新聞束リスト抽出手段
１１３  不良新聞束リスト出力手段
１１４  検査依頼通知手段
１１５  範囲特定処理手段
１１６  積載状況取得手段
１２５  印刷機定義テーブル
１２６  印刷物情報テーブル
１２７  宛名実績テーブル
１２８  脱荷実績テーブル
１４０  ネットワーク
２００  新聞印刷機
３００  宛名印刷機
４００  仕分け装置
【図１】
2009163481.tif 000003
【図２】
2009163481.tif 000004
【図３】
2009163481.tif 000005
【図４】
2009163481.tif 000006
【図５】
2009163481.tif 000007
【図６】
2009163481.tif 000008
【図７】
2009163481.tif 000009
【図８】
2009163481.tif 000010
【図９】
2009163481.tif 000011
【図１０】
2009163481.tif 000012
【図１１】
2009163481.tif 000013
【図１２】
2009163481.tif 000014
【図１３】
2009163481.tif 000015
【図１４】
2009163481.tif 000016
【図１６】
2009163481.tif 000017
【図１７】
2009163481.tif 000018
【図１５】
2009163481.tif 000019